(57)【要約】【課題】外観的に好ましいものとするなかで、確実なロック状態を円滑に解除して容易に電池カバーを開蓋できる電池を備える携帯用器具の提供。【解決手段】一対のガイドレール１７の間に電池収納部１９を確保してなるケース本体１２と、ガイドレール１７を介しての進退を自在に電池収納部１９を覆う電池カバー３１とを備え、ケース本体１１は、一対のロック爪片２４，２４相互間に被押圧部２５を介在させた一側ロック部２３を備え、電池カバー３１は、その施蓋時にロック解除用の棒状部材４１が挿入される解除操作用孔３４と、ロック爪片２４との掛合を自在に形成された他側ロック部３５とを備え、解除操作用孔３４から押し込まれる棒状部材４１による一側ロック部２３側の押下げ時に他側ロック部３５との掛合を解消して電池カバー３１を開蓋自在とした。【選択図】図１
2008258004.tif 000002
【特許請求の範囲】
【請求項１】
その長さ方向に沿わせて平行に配設された一対のガイドレールの間に電池収納部を確保してなるケース本体と、前記ガイドレールを介しての進退を自在に前記電池収納部を覆う電池カバーとを少なくとも備え、
前記ケース本体は、一対のロック爪片相互間に被押圧部を介在させて前記電池収納部の自由端側に撓み変形自在に配設された一側ロック部を備え、
前記電池カバーは、その施蓋時に一側ロック部の前記被押圧部と対面する位置にロック解除用の棒状部材が挿入される解除操作用孔と、該解除操作用孔周りに前記ロック爪片との掛合を自在に形成された他側ロック部とを備え、
前記解除操作用孔から押し込まれる前記棒状部材による前記一側ロック部側の押下げ時に前記他側ロック部との掛合を解消して前記電池カバーを電池収納部の前記自由端方向へと退行させて開蓋自在としたことを特徴とする電池を備える携帯用器具。
【請求項２】
前記ケース本体は、前記解除操作用孔から前記棒状部材が必要以上に押し込まれて前記一側ロック部側が破断されるのを阻止する撓み変形阻止部を備える請求項１に記載の電池を備える携帯用器具。
【請求項３】
前記ケース本体は、前記電池収納部の一部に性能調整操作部を備え、該性能調整操作部の表出当初位置での前記記電池カバーの一時停止を自在とした請求項１または２に記載の電池を備える携帯用器具。
【請求項４】
前記電池カバーには、前記解除操作用孔の近傍に目視可能なロック解除操作説明部と、その進退操作時に手指の滑りを阻止する摩擦部とを設けた請求項１〜３のいずれかに記載の電池を備える携帯用器具。
【請求項５】
前記ケース本体は、その長さ方向での一端側に備える作動部との関係で定まる機能の発揮を自在に形成された請求項１ないし４のいずれかに記載の電池を備える携帯用器具。
【請求項６】
前記ケース本体は、前記作動部を検電部とする検電器である請求項４に記載の電池を備える携帯用器具。
【発明の詳細な説明】
【技術分野】
【０００１】
本発明は、ケース本体に設けた電池収納部に収納される電池を電源とする各種の携帯用器具に対し、前記電池収納部を覆う電池カバーを簡単には外せない構造を具備させて施蓋できるようにした電池を備える携帯用器具に関する技術である。
【背景技術】
【０００２】
手軽に持ち運びができる携帯用器具のなかには、電池を電源としてその用途に応じた適宜の機能、例えば交流電圧の活電状況を非接触で確認できるようにした検電器などのように、各種のものがあり、通常、外部から収納電池を隠蔽・保護する電池カバーを備えている。
【０００３】
図４は、このような電池カバーを備える携帯用器具が電子機器である場合の下記特許文献１に開示されている施蓋構造例を示すものである。
【特許文献１】特開２００２−２１６７２８号公報
【０００４】
図４によれば、電子機器は、電池収納部２を有するケース本体１と、ロック爪６を有する電池カバー５とを少なくとも備えて構成されている。この場合、ケース本体１は、ロックを解除するための解除操作用孔３を備えており、該解除操作用孔３内に棒状部材を挿入して電池カバー５のロック爪６をＡ方向に押し下げることで、ロック状態を解除して電池カバー５をＢ方向にスライドさせて開蓋できることになる。なお、図中の符号４は、電池カバー５自体が押し下げられた際に撓んでロック状態が解除されてしまうのを阻止するためのストッパーを示す。
【０００５】
このため、図４に示す電子機器の施蓋構造による場合には、意識的な開蓋操作を行わない限りロック状態にある電池カバー５をケース本体１側から容易には外すことができず、例えば幼児が誤って電池を飲み込んでしまうような事故の発生を未然に防止することができることになる。
【発明の開示】
【発明が解決しようとする課題】
【０００６】
しかし、図４に示す電子機器においては、電池カバー５を外した際にケース本体１側に不自然な解除操作用孔３が目視されて外観を損なうばかりでなく、該解除操作用孔３からケース本体１内に異物が入りやすいという不具合があった。
【０００７】
また、電池カバー５のロック爪６は、ケース本体１の解除操作用孔３から棒状部材を強く押し付け過ぎた場合に、必要以上に撓み変形して破断されてしまうという構造的な不具合もあった。
【０００８】
本発明は、従来技術の上記課題に鑑み、ケース本体側からは解除操作用孔をなくして外観的に好ましいものとするなかで、ロック状態を円滑、かつ、安定的に解除して安心して電池カバーを開蓋できる電池を備える携帯用器具を提供することを目的とする。
【課題を解決するための手段】
【０００９】
本発明は、上記目的を達成すべくなされたものであり、その長さ方向に沿わせて平行に配設された一対のガイドレールの間に電池収納部を確保してなるケース本体と、前記ガイドレールを介しての進退を自在に前記電池収納部を覆う電池カバーとを少なくとも備え、前記ケース本体は、一対のロック爪片相互間に被押圧部を介在させて前記電池収納部の自由端側に撓み変形自在に配設された一側ロック部を備え、前記電池カバーは、その施蓋時に一側ロック部の前記被押圧部と対面する位置にロック解除用の棒状部材が挿入される解除操作用孔と、該解除操作用孔周りに前記ロック爪片との掛合を自在に形成された他側ロック部とを備え、前記解除操作用孔から押し込まれる前記棒状部材による前記一側ロック部側の押下げ時に前記他側ロック部との掛合を解消して前記電池カバーを電池収納部の前記自由端方向へと退行させて開蓋自在としたことを最も主要な特徴とする。
【００１０】
この場合、前記ケース本体には、前記解除操作用孔から前記棒状部材が必要以上に押し込まれて前記一側ロック部側が破断されるのを阻止する撓み変形阻止部を具備させるのが好ましい。また、前記ケース本体は、前記電池収納部の一部に性能調整操作部を備え、該性能調整操作部の表出当初位置での前記記電池カバーの一時停止を自在とすることもできる。さらに、前記電池カバーには、前記解除操作用孔の近傍に目視可能なロック解除操作説明部と、その進退操作時に手指の滑りを阻止する摩擦部とを設けておいてもよい。
【００１１】
また、前記ケース本体は、その長さ方向での一端側に備える作動部との関係で定まる機能の発揮を自在に形成することもできる。この場合、前記ケース本体は、前記作動部を検電部とする検電器とするのが望ましい。
【発明の効果】
【００１２】
請求項１に記載の発明によれば、ケース本体の電池収納部を電池カバーで確実に施蓋することができるので、幼児が仮にいたずらするようなことがあっても、電池カバーを開けることができず、したがって、電池の誤飲事故を未然に防ぐことができる。また、解除操作用孔は、電池カバー側に設けてあるので、ケース本体内に異物が入り込む余地をなくすこともできる。
【００１３】
請求項２に記載の発明によれば、ロック状態を解除する際に棒状部材が必要以上に強く押し込まれても、一側ロック部の撓み変形を阻止する撓み変形阻止部によりその動きを阻止することができるので、一側ロック部の破断を確実に防止することができる。
【００１４】
請求項３に記載の発明によれば、電池収納部の一部に性能調整操作部を備え、該性能調整操作部の表出当初位置で電池カバーを一時停止させることができるので、電池カバー自体の簡単なすっぽ抜けを効果的に阻止することができるほか、施蓋時に性能調整操作部を隠蔽しておくこともできるので、埃やゴミの侵入や不用意な調整操作を確実に阻止することもできる。また、作業者は、簡単に性能調整操作部を調整することで、所望に応じた性能を発揮させることができる。
【００１５】
請求項４に記載の発明によれば、電池カバーは、目視可能なロック解除操作説明部と、その進退操作時に手指の滑りを阻止する摩擦部とを備えているので、誤りなく円滑に開蓋操作を行うことができる。
【００１６】
請求項５に記載の発明によれば、ケース本体は、その長さ方向での一端側に備える作動部との関係で定まる機能を発揮させることができるので、用途に応じた汎用性のある機能を付与することができる。
【００１７】
請求項６に記載の発明によれば、電池カバーを確実にロックして施蓋でき、かつ、簡単な操作で開蓋して性能の微調整や電池の交換ができる検電器として好適に使用することができる。
【発明を実施するための最良の形態】
【００１８】
本発明は、図１〜図３からも明らかなように、その長さ方向に沿わせて平行に配設された一対のガイドレール１７，１７の間に電池収納部１８を確保してなるケース本体１１と、ガイドレール１７，１７を介しての進退を自在に電池収納部１９を覆う電池カバー３１とを少なくとも備えて構成されている。
【００１９】
このうち、ケース本体１１は、一対のロック爪片２４，２４相互間に被押圧部２５を介在させて電池収納部１８の自由端１８ａ側に撓み変形自在に配設された一側ロック部２３を備えている。
【００２０】
また、電池カバー３１は、その施蓋時に一側ロック部２３の被押圧部２５と対面する位置にロック解除用の棒状部材  が挿入される解除操作用孔３４と、該解除操作用孔３４周りにロック爪部２４，２４との掛合を自在に形成された他側ロック部３５とを備えている。
【００２１】
このため、解除操作用孔３４から押し込まれる棒状部材４１による一側ロック部２３側の押下げ時には、他側ロック部３５との掛合を解消して電池カバー３１を電池収納部１９の自由端１９ａ方向へと退行させて開蓋できるようになっている。
【００２２】
図１は、その長さ方向での一端側に備える作動部との関係で定まる機能の発揮を自在に形成されたケース本体を検電器に適用した場合における本発明の一例を示す分解斜視図であり、図２は、一部を切り欠いた状態の検電器をその要部拡大図とともに示す側面図であり、以下、これらの図に基づいて本発明の具体的な構成例を説明する。
【００２３】
図示例によれば、ケース本体１１側は、その一端である先端１３側に作動部１４としての検電部１５を備えた検電器１２として形成されている。この場合、検電器１２は、その内部に所要の検電回路を備えるプリント基板を含む適宜の必要部材（図示せず）を収納して形成されている。
【００２４】
また、検電器１２は、検電部１５とは反対側に位置する上面１２ａ側の略半分領域にその長さ方向に沿わせて凹陥させた段差部１６が形成されている。さらに、該段差部１６における一端部１６ａと自由端１９ａが位置する他端部１６ｂとを除く面領域には、その長さ方向に沿わせて平行に配設された断面が略逆Ｌ字形を呈する一対のガイドレール１７，１７が形成されており、該ガイドレール１７，１７相互間にボタン電池などの電池２９を収納するための電池収納部１９が形成されている。
【００２５】
しかも、検電器１２における段差部１６の一端部１６ａ側には、性能調整操作部２０としての感度調整部（可変抵抗器）２１が配設されている。また、段差部１６の他端部１６ｂ側に位置する自由端１９ａ寄りには、コ字形を呈するスリット２６に囲繞された一側ロック部２３が一対のロック爪片２４，２４相互間にやや凹陥させた被押圧部２５を介在させ、かつ、ガイドレール１７側の部位を連結させることで撓み変形自在に形成されている。
【００２６】
この場合、一側ロック部２３における各ロック爪片２４は、掛止用の垂直部２４ａと、該垂直部２４ａの頂部から電池収納部１９の自由端１９ａ方向に向けて前傾させた斜面部２４ｂとを備えて形成されている。
【００２７】
また、各ガイドレール１７は、直上させた起立片部１７ａと、該起立片部１７ａの頂端から外方向に向けて水平に張り出させた水平片部１７ｂとで形成されている。しかも、各ガイドレール１７における起立片部１７ａには、電池カバー３１を退行させて感度調整部２１の表出当初位置に至った際に、後述する電池カバー３１側の小突起４０と嵌合させてその動きを一時停止させることができるようになっている。
【００２８】
さらに、検電器１２の段差部１６の他端部１６ｂ側に形成されている一側ロック部２３におけるロック爪片２４寄りの下方には、解除操作用孔３４から棒状部材５１が必要以上に押し込まれて一側ロック部２３側が必要以上に撓み変形させられ、破断に至るのを阻止する撓み変形阻止部２８が配設されている。
【００２９】
一方、電池カバー３１は、その施蓋時に検電器１２における電池収納部１９と対面合致し、かつ、面一となって配置することができる形状のもとで形成されている。
【００３０】
すなわち、電池カバー３１は、電池収納部１９の上表面側と対面する天板部３２と、該天板部３２の先端縁３２ａ側を除く周縁から垂設された周壁部３３とを備えて形成されている。
【００３１】
このうち、天板部３２は、その施蓋時に検電器１２の電池収納部１９に設けられている一側ロック部２３の被押圧部２５と対面する位置にロック解除用の棒状部材５１が挿入される解除操作用孔３４が穿設されている。  
【００３２】
また、天板部３２の内側面の解除操作用孔３４周りには、その施蓋持に一側ロック部２３におけるロック爪片２４との掛合を自在に形成された他側ロック部３５が形成されている。
【００３３】
これを図１に示す例に基づいて説明すれば、他側ロック部３５は、天板部３２の解除操作用孔３４周りに周壁部３３の高さと略一致する長さが付与されて形成された円筒部３６を主体とし、該円筒部３６の後半分側を天板部３５の面方向にやや削除するなどして低くして前半分側との間に垂直段差部３７を確保して形成されている。
【００３４】
また、周壁部３３のうち、検電器１２の段差部１６に形成されている各ガイドレール１７と対向する位置関係にある部位には、各ガイドレール１７の水平片部１７ｂに沿って進退できる略Ｌ字形を呈するガイドリブ３６が各別に形成されている。
【００３５】
しかも、各ガイドリブ３６には、電池カバー３１を退行させて感度調整部２０の表出当初位置に至った際に、各ガイドレール１７が備える掛合部１８との嵌合が自在な小突起４０が形成されており、これにより電池カバー３１の動きを一時停止させることができることになる。
【００３６】
また、天板部３２の外側面側の解除操作用孔３４の近傍には、電池カバー３１の開蓋操作を図示するなどしたロック解除操作説明部４１が目視可能に設けられている。さらに、天板部３２の外側面の略中央部位には、電池カバー３１の進退操作に手指の滑りを阻止する複数個の小突起などからなる摩擦部４２が設けられている。なお、天板部３２の先端縁３２ａには、電池カバー３１の施蓋時に検電器１２側に差し込まれて一体的となって両者の面一性が確保される舌片４３がその面方向に延設されている。
【００３７】
次に、上記構成からなる本発明の作用・効果を、図３を参酌しながら説明する。ケース本体１１としての検電器１２の性能を調整する必要が生じた場合は、まず、施蓋状態にある電池カバー３１に隠蔽されている性能調整操作部２０としての感度調整部２１を表出させる必要がある。
【００３８】
このため、作業者は、ロック解除操作説明部４１を目視確認しながら、その説明内容に従い図３（ａ）に示すように金属棒などの棒状部材５１を電池カバー３１の解除操作用孔３４内に挿入する。
【００３９】
該解除操作用孔３４内に挿入された棒状部材５１の先端５１ａは、やがて検電器の電池収納部１９の自由端１９ａ近傍に位置する一側ロック２３の被押圧部２５に当接するに至る。
【００４０】
スリット２６を介して仕切られている一側ロック部２３は、被押圧部２５への押圧力が増すにつれてその全体が下方へと押し下げられながら撓み変形し、やがて撓み変形阻止部２８へとその開放縁２３ａ側が当接して動きを止める。
【００４１】
この状態となった際には、一側ロック部２３における各ロック爪片２４も押し下げられてその垂直部２４ａと他側ロック部３５の垂直段差部３７との掛合状態が解除されるので、ロック解除操作説明部４１に示されている手順に従い摩擦部４２に手指を押し当てて矢印方向へと容易に押し動かすことができる。
【００４２】
電池カバー３１は、さらに矢印方向に押し動かされることで、電池収納部１９に配設されている感度調整部２１を表出させるに至る。電池カバー３１は、このような当初表出位置にまで押し動かされた際に、段差部１６に形成されている各ガイドレール１７が備える掛合部１８に、周壁部３３のガイドリブ３９に形成されている小突起４０が緩く嵌合してその動きを一時的に停止させることができる。
【００４３】
したがって、感度調整部２１の調整作業は、この状態のもとで容易に行うことができる。また、感度調整部２１の調整作業を終えた後は、電池カバー３１を元の位置まで押し戻すことで、他側ロック部３５の円筒部３６を一側ロック部２３のロック爪片２４の斜面部２４ｂに案内させながら、その垂直段差部３７をロック爪片２４の垂直部２４ａに落とし込むことで、一側ロック部２３と掛合させたロック状態のもとでしっかりと施蓋することができる。
【００４４】
また、検電器１２の電池収納部１９に収納配置されている電池２９の交換作業は、感度調整部２１の当初表出位置での嵌合状態により一時的に停止させられている電池カバー４１を、さらに矢印方向へと押し動かすことで開蓋させることができる。すなわち、電池カバー３１は、検電器１２側のガイドレール１７に案内されているガイドリブ３９を離脱させることで、検電器１２の電池収納部１９から電池カバー３１を完全に引き離して開蓋状態とするなかで、容易に電池を２９を交換することができる。電池２９の交換を終えた後は、逆の手順を踏むことで電池カバー３１を確実に施蓋することができる。
【００４５】
したがって、本発明によれば、ケース本体１１である検電器１２の電池収納部１９に対する電池カバー３１の施蓋状態を、一側ロック部２３と他側ロック部３５との掛合状態のもとで確実にロックすることができる。
【００４６】
このため、仮に幼児がいたずらすることがあっても、検電器１２の電池収納部１９から電池カバー３１を外すことはできず、電池２９の誤飲事故を未然に防ぐことができる。
【００４７】
また、検電器１２が備える性能調整操作部２０としての感度調整部２１は、施蓋時の電池カバー３１により完全に隠蔽しておくことができるので、埃やゴミの侵入や不用意な調整操作を確実に阻止することができる。さらに、作業者は、例えばドライバー１本で感度調整部２１を作業中に調整することができるので、低い電圧でも検知しやすくしたり、不必要にブザーが鳴らないように高い電圧を検知しないようにしたりすることができる。
【００４８】
以上は、本発明を検電器に適用した場合につき説明したものであり、その具体的な内容はこれに限定されるものではない。本発明が適用される携帯用器具のケース本体は、電池を電源として適宜の機能を発揮し得る構造を備え、その電池収納部が電池カバーで施蓋されるものでさえあればよく、例えば、携帯用の懐中電灯やペンシルタイプの携帯テスターなども含まれる。
【図面の簡単な説明】
【００４９】
【図１】長さ方向での一端側に備える作動部との関係で定まる機能の発揮を自在に形成されたケース本体を検電器に適用した場合における本発明の一例をその要部拡大図とともに示す分解斜視図。
【図２】一部を切り欠いた状態の検電器をその要部拡大図とともに示す側面図。
【図３】検電器を例にその開蓋手順を（ａ），（ｂ）として示す説明図。
【図４】電池カバーを備える携帯用器具が電子機器である場合の施蓋構造例を示す断面図。
【符号の説明】
【００５０】
１１  ケース本体
１２  検電器
１２ａ  上面
１３  先端
１４  作動部
１５  検電部
１６  段差部
１６ａ  一端部
１６ｂ  他端部
１７  ガイドレール
１７ａ  起立片部
１７ｂ  水平片部
１８  掛合部
１９  電池収納部
１９ａ  自由端
２０  性能調整操作部
２１  感度調整部
２３  一側ロック部
２３ａ  開放縁
２４  ロック爪片
２４ａ  垂直部
２４ｂ  斜面部
２５  被押圧部
２６  スリット
２８  撓み変形阻止部
２９  電池
３１  電池カバー
３２  天板部
３２ａ  先端縁
３３  周壁部
３４  解除操作用孔
３５  他側ロック部
３６  円筒部
３７  垂直段差部
３９  ガイドリブ
４０  小突起
４１  ロック解除操作説明部
４２  摩擦部
４３  舌片
５１  棒状部材
５１ａ  先端
【図１】
2008258004.tif 000003
【図２】
2008258004.tif 000004
【図３】
2008258004.tif 000005
【図４】
2008258004.tif 000006